(57)【特許請求の範囲】
【請求項１】
目地部を介して建てられた左右の建物の一方の建物の天井部位の躯体に取付けられた天井材の目地部側端部に設けられた目地カバー押し上げ部と、この目地カバー押し上げ部と対向する部位の前記左右の建物の他方の建物の天井部分の躯体で、該目地カバー押し上げ部より上方部位に水平状態で固定された固定レールと、この固定レールに水平方向にスライド移動可能に取付けられたスライドレールと、このスライドレールの上部に所定間隔で固定された上方へ突出する複数個のガイドピンと、この複数個のガイドピンにそれぞれ遊挿されるガイドピン挿入孔が上部に形成されるとともに、前記スライドレールに沿った下部は、前記他方の建物の天井部分の躯体側へ曲げられた浮き上がりプレートと、この浮き上がりプレートの下端部にヒンジ部材を介して後端部が取付けられ、先端部が前記天井材の目地カバー押し上げ部と当接する目地カバーと、この目地カバーを水平状態に保つように、該目地カバーの中央部の上面に取付けられた係止具および、該係止具に係止される前記浮き上がりプレートに取付けられた係止片とからなる目地カバー水平維持機構とを備えたことを特徴とする天井用目地カバー装置。
【請求項２】
浮き上がりプレートは複数個のガイドピンの数と同じ数が用いられ、目地カバー水平維持機構は前記浮き上がりプレートにそれぞれ設けられた係止片と、目地カバーの中央部上面に、内部に前記係止片が挿入される逆Ｕ字状の係止具とで構成されていることを特徴とする請求項１記載の天井用目地カバー装置。
【発明の詳細な説明】
【技術分野】
【０００１】
本発明は左右の建物間の天井目地部を覆う天井用目地カバー装置に関する。
【背景技術】
【０００２】
従来の天井用目地カバー装置は、天井目地部を覆う天井目地カバーを一方の建物側に取付けるとともに、目地部が地震で狭くなった場合に、該天井目地カバーを他方の建物に設置した部材と天井目地カバーに設置した部材とで、他方の建物に設けた天井材上に移動させて、その揺れ動きを吸収できるように構成されている。
このように構成された天井用目地カバー装置は、地震時の揺れ動きを吸収することはできるが、設置に一方の建物と他方の建物に天井目地カバーを上方へ移動させる部材を設置しなければならず、その設置作業が大変になるという欠点があった。
【先行技術文献】
【特許文献】
【０００３】
【特許文献１】特許第３６８８５１０号公報
【発明の概要】
【発明が解決しようとする課題】
【０００４】
本発明は以上のような従来の欠点に鑑み、設置作業が楽にでき、地震で左右の建物が異なる前後左右方向に揺れ動いても、損傷することなく、その揺れ動きを吸収することができる天井用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して建てられた左右の建物の一方の建物の天井部位の躯体に取付けられた天井材の目地部側端部に設けられた目地カバー押し上げ部と、この目地カバー押し上げ部と対向する部位の前記左右の建物の他方の建物の天井部分の躯体で、該目地カバー押し上げ部より上方部位に水平状態で固定された固定レールと、この固定レールに水平方向にスライド移動可能に取付けられたスライドレールと、このスライドレールの上部に所定間隔で固定された上方へ突出する複数個のガイドピンと、この複数個のガイドピンにそれぞれ遊挿されるガイドピン挿入孔が上部に形成されるとともに、前記スライドレールに沿った下部は、前記他方の建物の天井部分の躯体側へ曲げられた浮き上がりプレートと、この浮き上がりプレートの下端部にヒンジ部材を介して後端部が取付けられ、先端部が前記天井材の目地カバー押し上げ部と当接する目地カバーと、この目地カバーを水平状態に保つように、該目地カバーの中央部の上面に取付けられた係止具および、該係止具に係止される前記浮き上がりプレートに取付けられた係止片とからなる目地カバー水平維持機構とで天井用目地カバー装置を構成している。
【発明の効果】
【０００７】
以上の説明から明らかなように、本発明にあっては次に列挙する効果が得られる。
（１）請求項１により、一方の建物に取付けられた天井材に目地カバー押し上げ部を形成するだけで、他は他方の建物側に固定レール、スライドレール、ガイドピン、浮き上がりプレート、目地プレートおよび目地カバー水平維持機構を取付けるだけで設置することができる。
したがって、目地カバーの先端部と目地カバー押し上げ部と当接するように設置するだけでよく、気軽に設置作業を行なうことができる。
（２）前記（１）により、目地カバーの取付けは他方の建物側でできるので、取付けや位置調整作業を容易に行なうことができる。
（３）前記（１）により、目地カバーを目地カバーの中央部の上面に取付けられた係止具および、該係止具と係止される浮き上がりプレートに取付けられた係止片とからなる目地カバー水平維持機構で水平状態に保つので、目地カバーの後端部が他方の建物の天井部位の躯体から離れることなく、確実に目地カバーを水平状態に保つことができる。
（４）請求項２も前記（１）〜（３）と同様な効果が得られるとともに、複数個の浮き上がりプレートにすることにより、浮き上がりプレートの小型軽量化を図ることができる。
【図面の簡単な説明】
【０００８】
【図１】本発明を実施するための第１の形態の平面図。
【図２】図１の２−２線に沿う断面図。
【図３】図１の３−３線に沿う断面図。
【図４】本発明を実施するための第１の形態の固定レールの取付け状態を示す説明図。
【図５】本発明を実施するための第１の形態のスライドレールの説明図。
【図６】本発明を実施するための第１の形態の浮き上がりプレートの説明図。
【図７】本発明を実施するための第１の形態の地震で目地部が広くなった動作状態の説明図。
【図８】本発明を実施するための第１の形態の地震で目地部が狭くなった動作状態の説明図。
【図９】本発明を実施するための第１の形態の地震で異なる前後方向に左右の建物が揺れ動いた状態の説明図。
【図１０】本発明を実施するための第２の形態の平面図。
【図１１】図１０の１１−１１線に沿う断面図。
【図１２】本発明を実施するための第２の形態の固定レールの説明図。
【図１３】本発明を実施するための第３の形態の平面図。
【図１４】図１３の１４−１４線に沿う断面図。
【図１５】本発明を実施するための第３の形態の浮き上がりプレートの説明図。
【発明を実施するための形態】
【０００９】
以下、図面に示す本発明を実施するための形態により、本発明を詳細に説明する。
【００１０】
図１ないし図９に示す本発明を実施するための第１の形態において、１は目地部２を介して建てられた左右の建物３、３間の天井目地部を覆う本発明の天井用目地カバー装置で、この天井用目地カバー装置１は前記左右の建物３、３の一方の建物３の天井部位の躯体３ａに取付けられた天井材４の目地部側の端部に設けられた下端部が目地部へ突入する傾斜面に形成した目地カバー押し上げ部５と、この目地カバー押し上げ部５と対向する部位の、前記左右の建物３、３の他方の建物３の天井部分の躯体３ａで、該目地カバー押し上げ部５より上方部位に水平状態で固定された固定レール６と、この固定レール６に水平方向にスライド移動可能に取付けられたスライドレール７と、このスライドレール７の上部に所定間隔で固定された上方へ突出する複数個のガイドピン８と、この複数個のガイドピン８にそれぞれ遊挿されるガイドピン挿入孔９が上部に形成されるとともに、前記スライドレール７に沿った下部は前記他方の建物３の天井部分の躯体３ａ側へほぼ４５度で曲げられた板材で形成された複数個の浮き上がりプレート１０と、この浮き上がりプレート１０の下端部にそれぞれヒンジ部材１１を介して後端部が取付けられ、先端部が前記天井材４の目地カバー押し上げ部５と面接触する目地カバー１２と、この目地カバー１２を水平状態に保つ浮き上がりプレート１０と、該目地カバー１２に取付けられた目地カバー水平維持機構１３とで構成されている。
【００１１】
前記固定レール６は図４に示すように、複数本のビス等で天井躯体３ａに固定される板状の固定レール本体１４と、この固定レール本体１４の上部をアングル状に折り曲げて形成したローラ支持板１５と、このローラ支持板１５に所定間隔で取付けられた、前記スライドレール７をスライド移動させるための複数個のローラ１６と、前記固定レール本体１４の下部に所定間隔で取付けられた、前記スライドレール７の下部を支持する複数個の支持ローラ１７とで構成されている。
【００１２】
前記スライドレール７は図５に示すように、下端部が複数個の支持ローラ１７に支持される板状のスライドレール本体１８と、このスライドレール本体１８の上部をアングル状に折り曲げて形成した、前記固定レール６の複数個のローラ１６上に位置するとともに、前記のガイドピン８が固定される支持板１９と、前記スライドレール本体１８の下端部に前記他方の建物３側へ折り曲げた脱落防止片２０とで構成されている。
【００１３】
前記浮き上がりプレート１０は図６に示すように、板状の浮き上がりプレート本体２１と、この浮き上がりプレート本体２１の上部がアングル状となるように折り曲げられ、前記ガイドピン８が挿入されるガイドピン挿入孔９が形成した前記スライドレール７の支持板１９に支持される支持片２２と、前記浮き上がりプレート本体２１の前記スライドレール７の下端部より下方へ突出する下部に前記他方の建物３の躯体３ａ側へほぼ４５度曲げて形成した取付片２３とで構成されている。
【００１４】
前記目地カバー１２は先端上部が外方へ突出する傾斜面に形成された長方形状の枠体２４に所定間隔で縦桟２５が配置されたフレーム２６と、このフレーム２６の先端部および底面を覆うカバー体２７とで構成されている。
【００１５】
前記目地カバー水平維持機構１３は前記浮き上がりプレート１０の浮き上がりプレート本体２１に後端部が溶接等で固定された、前記目地部２の中央部方向に突出させた係止片２８と、この係止片２８の先端部と係止して、前記目地カバー１２を水平状態に維持させる、該目地カバー１２の縦桟２５のほぼ中央部に下端部が固定された逆Ｕ字状の係止具２９とで構成されている。
【００１６】
上記構成の天井用目地カバー装置１は、地震で目地部２が広くなるように左右の建物３、３が揺れ動くと、図７に示すように一方の建物３の天井材４と他方の建物３側に取付けられている目地カバー１２は離れるように移動する。
【００１７】
この時、目地カバー１２は目地カバー水平維持機構１３によって水平状態が保たれている。すなわち、係止具２９に係止片２８の上部が支持された状態となっているからである。
【００１８】
次に、地震で目地部２が狭くなるように左右の建物３、３が揺れ動くと、図８に示すように左右の建物３、３が近づくため、一方の建物３の天井材４の目地カバー押し上げ部５に他方の建物３側に取付けられている目地カバー１２の先端部が押し付けられて、該目地カバー１２をヒンジ部材１１を支点にして先端部が上方へ回動するとともに、さらに目地部２が狭くなるように動くと、天井材４の目地カバー押し上げ部５を支点にして、目地カバー１２の先端部の重量が大きくなると、該目地カバー１２が天井板４と面接触する方向に回動し、浮き上がりプレート１０をガイドピン８に沿って上方ヘ移動して、その揺れ動きを吸収する。
目地部２の寸法が元の寸法に戻ると、前述の逆の動作で、自動的に元の状態に戻る。
【００１９】
地震で左右の建物３、３が異なる前後方向に揺れ動くと、図９に示すように一方の建物３の側壁３０、３０によって目地カバー１２が前後方向に押し付けられるので、固定レール６にスライド移動可能に取付けられているスライドレール７が目地カバー１２、浮き上がりプレート１０を介して前後方向への移動する力が加わるため、前後方向にスライド移動して、その揺れ動きを吸収する。    
【００２０】
[発明を実施するための異なる形態]
次に、図１０ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１０ないし図１２に示す本発明を実施するための第２の形態において、前記本発明を実施するための第１の形態と主に異なる点は、複数個のローラ１６が取付けられた固定レール本体１４Ａと、この固定レール本体１４Ａの下部位置の他方の建物３の目地部側天井躯体３ａに固定された支持板３１に所定間隔で取付けられた複数個の支持ローラ１７とからなる固定レール６Ａを用いるとともに、天井材４の先端部に傾斜面が形成された目地カバー押し上げ部材３２を取付けた点で、このような固定レール６Ａと目地カバー押し上げ部材３２を用いて構成した天井用目地カバー装置１Ａにしても、前記本発明を実施するための第１の形態と同様な作用効果が得られる。
【００２２】
図１３ないし図１５に示す本発明を実施するための第３の形態において、前記本発明を実施するための第１の形態と主に異なる点は、ガイドピン８、８が挿入されるガイドピン挿入孔９、９を形成した幅広の浮き上がりプレート１０Ａを用いた点で、このような浮き上がりプレート１０Ａを用いて構成した天井用目地カバー装置１Ｂにしても、前記本発明を実施するための第１の形態と同様な作用効果が得られる、
【産業上の利用可能性】
【００２３】
本発明は左右の建物間の天井目地部を覆う天井用目地カバー装置を製造する産業で利用される。
【符号の説明】
【００２４】
１、１Ａ、１Ｂ：天井用目地カバー装置、
２：目地部、        ３：建物、
４：天井材、          ５：目地カバー押し上げ部、  
６、６Ａ：固定レール、    ７：スライドレール、
８：ガイドピン、      ９：ガイドピン挿入孔、  
１０、１０Ａ：浮き上がりプレート、
１１：ヒンジ部材、      １２：目地カバー、
１３：目地カバー水平維持機構、  １４、１４Ａ：固定レール本体、
１５：ローラ支持板、    １６：ローラ、
１７：支持ローラ、      １８：スライドレール本体、
１９：支持板、      ２０：脱落防止片、
２１：浮き上がりプレート本体、２２：支持片、
２３：取付片、      ２４：枠体、
２５：縦桟、        ２６：フレーム、
２７：カバー体、      ２８：係止片、
２９：係止具、      ３０：側壁、
３１：支持板、      ３２：目地カバー押し上げ部材。
【図１】
0005943896.tif 000002
【図２】
0005943896.tif 000003
【図３】
0005943896.tif 000004
【図４】
0005943896.tif 000005
【図５】
0005943896.tif 000006
【図６】
0005943896.tif 000007
【図７】
0005943896.tif 000008
【図８】
0005943896.tif 000009
【図９】
0005943896.tif 000010
【図１０】
0005943896.tif 000011
【図１１】
0005943896.tif 000012
【図１２】
0005943896.tif 000013
【図１３】
0005943896.tif 000014
【図１４】
0005943896.tif 000015
【図１５】
0005943896.tif 000016